(57)【特許請求の範囲】
【請求項１】
生体状態を測定する測定手段と、前記測定手段で測定された生体データの送信に関連する第１通信手段とを有する本体部と、前記第１通信手段からの生体データの受信に関連する第２通信手段と、前記第２通信手段で受信した生体データに基づく結果を表示する表示手段とを有する分離部とを備え、前記第１通信手段と前記第２通信手段は、生体データの送受信に関する媒体を赤外線及び電波とするものであり、前記赤外線と前記電波との媒体を切替える切替手段を備えるコードレス通信生体計測装置において、
前記第１通信手段は、前記本体部と分離部との間が、前記赤外線を媒体とする通信が可能な状態にあるか否かを確認するための通信可否確認信号を送信し、及び前記通信可否確認信号に対する返答信号を受信する赤外線送受信手段を備え、
前記第２通信手段は、前記通信可否確認信号を受信し、及び通信可否確認信号に対する返答信号を送信する赤外線送受信手段を備え、
前記本体部は、前記返答信号が有った場合に、前記測定手段を生体状態の測定が可能な動作状態にすることを特徴とするコードレス通信生体計測装置。
【請求項２】
前記切替手段は、前記電波を媒体にするアンテナと、前記アンテナの構えを変動させることで前記赤外線と前記電波との媒体を切替える切替スイッチと
から成ることを特徴とする請求項１記載のコードレス通信生体計測装置。
【請求項３】
前記切替手段は、前記本体部と前記分離部とのそれぞれに設けられ、自己が設けられる前記本体部又は前記分離部に有する前記第１通信手段又は前記第２通信手段に対して前記赤外線又は前記電波のいずれか一方を媒体とする電力供給状態に切替える電力供給切替部と、送受信状態が適合するように前記第１通信手段又は前記第２通信手段による前記赤外線又は前記電波のいずれか一方を媒体とする信号の送受信状態の切替えの制御及び前記電力供給切替部による電力供給状態の切替えの制御をする切替制御部と
から成ることを特徴とする請求項１記載のコードレス通信生体計測装置。
【請求項４】
前記切替制御部は、赤外線による媒体での送受信が可能な状態である場合には、赤外線による媒体での送受信状態を基調とする制御をすることを特徴とする請求項３記載のコードレス通信生体計測装置。
【請求項５】
前記赤外線又は前記電波のいずれか一方の送受信状態の時の生体データを記憶する記憶手段と、前記切替手段で他方の送受信状態に切替えた後も前記記憶手段に記憶される生体データから継続して処理する処理継続手段とを備えることを特徴とする請求項１乃至４のうちいずれか１項に記載のコードレス通信生体計測装置。
【発明の詳細な説明】
【０００１】
【発明の属する技術分野】
本発明は、本体部と分離部とのコードレス間の通信を確実に行い、健康管理等に有益な体脂肪率、内蔵脂肪面積等の生体情報を提供するコードレス通信生体計測装置に関する。
【０００２】
【従来の技術】
主として測定を目的とする本体部と、主として表示を目的とする分離部とから成り、健康管理等に有益な体脂肪率、内蔵脂肪面積等の生体情報を提供する従来のコードレス通信生体計測装置は、本体部と分離部との間の送受信を赤外線あるいは電波といったように、どちらか一方の媒体だけに対応するものであった（例えば、特開平１１−９４６３６公報、特開平１１−１２８１９６公報、特開２００１−２９２９６８公報参照）。
【０００３】
【発明が解決しようとする課題】
しかしながら、従来のコードレス通信生体計測装置で、本体部と分離部との間の送受信に赤外線を媒体とするものの場合には、本体部と分離部との間が遠隔であったり、遮蔽物が存在したりすると送受信できなかった。また、本体部と分離部との送受信をする向きを限定させなければならなかった。一方、本体部と分離部との間の送受信に電波を媒体とするものの場合には、他の周辺機器からの電波障害を受けたりすることがあった。
【０００４】
そこで、本発明は、上記のような従来の問題点を解決することを目的とするもので、測定する環境状況に応じて、使い分けが可能であるコードレス通信生体計測装置を提供することを課題とする。
【０００５】
【課題を解決するための手段】
上記目的を達成するために、本発明のコードレス通信生体計測装置は、生体状態を測定する測定手段と前記測定手段で測定された生体データの送信に関連する第１通信手段とを有する本体部と、前記第１通信手段からの生体データの受信に関連する第２通信手段と前記第２通信手段で受信した生体データに基づく結果を表示する表示手段とを有する分離部とを備え、前記第１通信手段と前記第２通信手段は、生体データの送受信に関する媒体を赤外線及び電波とするものであり、前記赤外線と前記電波との媒体を切替える切替手段を備えるコードレス通信生体計測装置において、前記第１通信手段は、前記本体部と分離部との間が、前記赤外線を媒体とする通信が可能な状態にあるか否かを確認するための通信可否確認信号を送信し、及び前記通信可否確認信号に対する返答信号を受信する赤外線送受信手段を備え、前記第２通信手段は、前記通信可否確認信号を受信し、及び通信可否確認信号に対する返答信号を送信する赤外線送受信手段を備え、前記本体部は、前記返答信号が有った場合に、前記測定手段を生体状態の測定が可能な動作状態にすることを特徴とする。これによると、本体部と分離部との間を切替手段により赤外線もしくは電波を媒体とする送受信に切替えることができるため、測定する環境状況に応じた使い分けをすることができる。
【０００６】
また、前記切替手段は、前記電波を媒体にするアンテナと、前記アンテナの構えを変動させることで前記赤外線と前記電波との媒体を切替える切替スイッチとから成ることを特徴とする。これによると、電波での送受信に必要なアンテナの構えを変動させることに切替スイッチが連動するので、赤外線又は電波のいずれか一方を媒体とする送受信状態から他方を媒体とする送受信状態への切替えをアンテナの構えを変動させるといった一動作だけで可能となる。
【０００７】
また、前記切替手段は、前記本体部と前記分離部とのそれぞれに設けられ、自己が設けられる前記本体部又は前記分離部に有する前記第１通信手段又は前記第２通信手段に対して前記赤外線又は前記電波のいずれか一方を媒体とする電力供給状態に切替える電力供給切替部と、送受信状態が適合するように前記第１通信手段又は前記第２通信手段による前記赤外線又は前記電波のいずれか一方を媒体とする信号の送受信状態の切替えの制御及び前記電力供給切替部による電力供給状態の切替えの制御をする切替制御部とから成ることを特徴とする。これによると、切替制御部によって、第１通信手段と第２通信手段との送受信状態が適合するように制御されるので、自動的に赤外線又は電波のいずれか一方を媒体とする送受信状態から他方を媒体とする送受信状態へ切替えることができる。
【０００８】
また、前記切替制御部は、赤外線による媒体での送受信が可能な状態である場合には、赤外線による媒体での送受信状態を基調とする制御をすることを特徴とする。これによると、一般的に電力消費の高い電波による媒体での送受信状態であっても一般的に電力消費の低い赤外線による媒体での送受信状態が可能であれば、赤外線による媒体での送受信状態に制御されるので、常に最低電力消費の状態を保つことができる。
【０００９】
また、前記赤外線又は前記電波のいずれか一方の送受信状態の時の生体データを記憶する記憶手段と、前記切替手段で他方の送受信状態に切替えた後も前記記憶手段に記憶される生体データから継続して処理する処理継続手段とを備えることを特徴とする。これによると、赤外線又は電波のいずれか一方の送受信状態から他方の送受信状態に切替手段で切替えた後も記憶手段にその時点の生体データが記憶され、処理継続手段により継続して処理されるので、測定状態が後戻りすることなく使用中の環境状況の変化に応じた使い分けをすることができる。
【００１０】
【発明の実施の形態】
以下、本発明の実施の形態について図面を用いて説明する。なお、コードレス通信生体計測装置の一種であるコードレス通信体脂肪計について説明するが、本発明はこのコードレス通信体脂肪計に限定されるものではない。
【００１１】
第１に、手動によってアンテナを動かして、通信状態を切替える態様である第１の実施の形態について詳述する。
【００１２】
まず、初めに、図１に本発明に係わるコードレス通信生体計測装置の外観を斜視図で示し、図２にその構成をブロック図で示す。本発明の第１の実施の形態のコードレス通信体脂肪計は、大別すると、主として測定を目的とする本体部１と、主として表示を目的とする分離部３１とにより構成する。
【００１３】
本体部１は、測定手段２、第１通信手段３、切替手段４、第１電源手段５及び第１マイコン６を備える。
【００１４】
測定手段２は、生体状態を測定するもので、本実施例では、体重を測定する体重測定手段７と、生体インピーダンスを測定する生体インピーダンス測定手段８とから成る。
【００１５】
そして、体重測定手段７は、体重を検出する重量センサー９と、この重量センサー９で検出されたアナログ信号（体重データ）を増幅する増幅回路１０と、この増幅回路１０で増幅されたアナログ信号（体重データ）をデジタル信号（体重データ）に変換するＡ／Ｄ変換回路１１とにより構成する。
【００１６】
一方、生体インピーダンス測定手段８は、生体に電流路を形成するための通電用電極１２と、これらの通電用電極１２に高周波（例えば、５０Hz）の微弱な定電流を供給するための供給回路１３と、生体に生じる電位差を検出するための測定用電極１４と、これら測定用電極間１４に生じる生体インピーダンスの電位差であるアナログ信号（生体インピーダンスデータ）を増幅する増幅回路１５と、この増幅回路１５で増幅されたアナログ信号（生体インピーダンスデータ）をデジタル信号（生体インピーダンスデータ）に変換するＡ／Ｄ変換回路１６とにより構成する。
【００１７】
第１通信手段３は、測定手段２で測定された生体データを分離部３１に送信するもので、本形態では、体重測定手段７からの体重データと生体インピーダンス測定手段８からの生体インピーダンスデータを分離部３１に赤外線を媒体として送信する赤外線送信手段１７と、電波を媒体として送信する電波送信手段１８とから成る。
【００１８】
そして、赤外線送信手段１７は、送信窓２６を通して赤外線を発光する発光ダイオード１９と、この発光ダイオード１９から発光させることで体重測定手段７からの体重データと生体インピーダンス測定手段８からの生体インピーダンスデータを送信するための赤外線送信回路２０とにより構成する。ちなみに、この赤外線送信手段１７による送信は、搬送波の波長９００〜９５０nm、変調ＰＰＭ（Pulse Pattern Modulation）、副搬送波の周波数４０kHzで行われる。
【００１９】
一方、電波送信手段１８は、電波を発射する送信アンテナ２１と、この送信アンテナ２１から発射させることで体重測定手段７からの体重データと生体インピーダンス測定手段８からの生体インピーダンスデータを送信するための電波送信回路２２とにより構成する。ちなみに、この電波送信手段１８による送信は、搬送波の周波数３００MHz、変調ＦＳＫ（Frequency Shift Keying）で行われる。
【００２０】
切替手段４は、赤外線送信手段１７から送信される赤外線と電波送信手段１８から送信される電波との媒体を切替えるもので、先に説明した送信アンテナ２１と、この送信アンテナ２１の構えを変動させることで赤外線と電波との媒体を切替える切替スイッチ２３とから成る。
【００２１】
ここで、送信アンテナ２１と切替スイッチ２３との状態の関係をより詳細に説明する。図３の本体部１の第１通信手段３付近の拡大図、図４のそのＡ−Ａ'断面図に示すように、送信アンテナ２１を本体部１から立てたときには、切替スイッチ２３がオフして電波送信状態となり、送信アンテナ２１を本体部１に倒したとき（図４における一点鎖線）には、切替スイッチ２３がオンして赤外線送信状態となる。
【００２２】
第１電源手段５は、本体部１の各部に電力を供給するもので、本体部１の各部への電力の供給源である電源２４と、この電源２４から本体部１の各部に電力を供給させるための電源スイッチ２５とから成る。
【００２３】
第１マイコン６は、上述した測定手段２からの生体データを切替手段４の状態に対応して第１通信手段３から分離部３１に送信するための制御等を行うものである。より詳細には、第１マイコン６は、送信アンテナ２１の構えによって切替えられた切替スイッチ２３の状態に従って、体重測定手段７におけるＡ／Ｄ変換回路１１からの体重データと生体インピーダンス測定手段８におけるＡ／Ｄ変換回路１６からの生体インピーダンスデータとを、赤外線送信手段１７又は電波送信手段１８のいずれか一方から送信するように制御を行う。
【００２４】
分離部３１は、第２通信手段３２、表示手段３３、設定スイッチ３４、第２電源手段３５、記憶手段３６及び第２マイコン３７を備える。
【００２５】
第２通信手段３２は、本体部１の第１通信手段３から送信された生体データを受信するもので、本形態では、本体部１の赤外線送信手段１７から赤外線を媒体として送信された体重データと生体インピーダンスデータとを受信する赤外線受信手段３８と、本体部１の電波送信手段１８から電波を媒体として送信された体重データと生体インピーダンスデータとを受信する電波受信手段３９とから成る。
【００２６】
そして、赤外線受信手段３８は、第１通信手段３の発光ダイオード１９から発光された赤外線を送信窓４９を通して受光するフォトトランジスタ４０と、このフォトトランジスタ４０を介して体重データと生体インピーダンスデータを受信するための赤外線受信回路４１とにより構成する。
【００２７】
一方、電波受信手段３９は、第１通信手段３の送信アンテナ２１から送信された電波を受信する受信アンテナ４２と、この受信アンテナ４２を介して体重データと生体インピーダンスデータを受信するための電波受信回路４３とにより構成する。
【００２８】
表示手段３３は、第２通信手段３２で受信した生体データからの結果を表示する。より詳細には、赤外線受信手段３８又は電波受信手段３９で受信した体重データと生体インピーダンスデータとに基づいて、後述する第２マイコン３７で演算された体重値と体脂肪率を表示する。本実施例では、この表示手段３３にはＬＣＤ４４を用いる。
【００２９】
設定スイッチ３４は、身長、年齢、性別、体型等の個人情報を入力するものである。本実施例では、この設定スイッチは、公知のアップ、ダウン、確定のキーから成る。
【００３０】
第２電源手段３５は、分離部３１の各部に電力を供給するもので、分離部３１の各部への電力の供給源である電源４５と、この電源４５から分離部３１の各部に電力を供給させるための電源スイッチ４６とから成る。なお、本実施例では、電源スイッチ４６は、設定スイッチ３４で個人情報として登録された個人別の複数のスイッチ４６ａと、体重だけを測定するためのスイッチ４６ｂとから成る。
【００３１】
記憶手段３６は、赤外線受信手段３８又は電波受信手段３９で受信した生体データ（体重データと生体インピーダンスデータ）と、設定スイッチ３４から入力された個人情報とを記憶する。本実施例では、この記憶手段３６にはＥＥＰＲＯＭ４７を用いる
【００３２】
第２マイコン３７は、第２通信手段３２で本体部１から送信された生体データを受信し、この生体データに基づいて目的とする生体情報を求めるために演算・制御等をする。また、切替手段４で他方の送受信状態に切替えた後も記憶手段３６に記憶される生体データから継続して処理する処理継続手段４８を備える。より詳細には、赤外線受信手段３８又は電波受信手段３９のいずれか一方から体重データと生体インピーダンスデータを受信して記憶手段３６に記憶し、設定手段３４から入力された個人情報を記憶手段３６に記憶し、処理継続手段４８により本体部１の切替手段４で送受信状態が切替えられた後も記憶手段３６に記憶される生体データ（体重データと生体インピーダンスデータ）から継続して処理しながら、目的とする生体情報として体重値と体脂肪率と求め、表示手段３３に出力するための演算・制御を行う。
【００３３】
次に、図５の本発明に係わるコードレス通信生体計測装置の本体部における動作及び測定手順を示すフローチャートを用いて、本体部の動作及び測定手順について説明する。
【００３４】
まず初めに、本体部１の電源スイッチ２５をオンすることにより、本体部１の各部に電源２４から電力が供給され、本体部１は体重測定が可能な動作状態となる（ステップ１）。
【００３５】
続いて、被測定者が本体部１の上に乗ると重量センサー９により体重データが検出され、この検出された体重データは、増幅回路１０で増幅され、Ａ／Ｄ変換回路１１でデジタル化される（ステップ２）。
【００３６】
続いて、第１マイコン６によって、送信アンテナ２１が立っている（切替スイッチ２３がオフ状態）か、あるいは、倒れている（切替スイッチ２３がオン状態）かが判別される。そして、送信アンテナ２１が倒れている場合（ステップ３でＮＯ）には、赤外線送信手段１７が送信可能な状態に制御され（ステップ４）、Ａ／Ｄ変換回路１１からの体重データが送信される（ステップ６）。一方、送信アンテナ２１が立っている場合（ステップ３でＹＥＳ）には、電波送信手段１８が送信可能な状態に制御され（ステップ５）、Ａ／Ｄ変換回路１１からの体重データが送信される（ステップ６）。
【００３７】
続いて、第１マイコン６によって、赤外線送信手段１７又は電波送信手段１８から送信される体重データが安定しているか、あるいは、安定していないかが判定される。この安定の判定には、例えば、過去の一定時間内にサンプリングされた体重データと比較して、一定範囲内の変動で、一定時間継続しているかどうかで判定される。そして、体重データが安定していない場合（ステップ７でＮＯ）には、ステップ２に戻り、再度体重データがサンプリングされ、その後のステップが継続される。
【００３８】
一方、体重データが安定している場合（ステップ７でＹＥＳ）には、供給回路１３から発生して通電用電極１２を通じて生体（被測定者）に高周波の微弱な定電流が供給され、測定用電極１４により生体インピーダンスデータが検出され、この検出された生体インピーダンスデータは、増幅回路１５で増幅され、Ａ／Ｄ変換回路１６でデジタル化される（ステップ８）。
【００３９】
続いて、第１マイコン６によって、生体インピーダンスデータが安定しているか、あるいは、安定していないかが判定される。この安定の判定には、例えば、過去の一定時間内にサンプリングされた生体インピーダンスデータと比較して、一定範囲内の変動で、一定時間継続しているかどうかで判定される。そして、生体インピーダンスデータが安定していない場合（ステップ９でＮＯ）には、ステップ８に戻り、再度生体インピーダンスデータがサンプリングされ、繰り返される。
【００４０】
一方、生体インピーダンスデータが安定している場合（ステップ９でＹＥＳ）には、第１マイコン６によって、送信アンテナ２１が立っている（切替スイッチ２３がオフ状態）か、あるいは、倒れている（切替スイッチ２３がオン状態）かが判別される。そして、送信アンテナ２１が倒れている場合（ステップ１０でＮＯ）には、赤外線送信手段１７が送信可能な状態に制御され（ステップ１１）、Ａ／Ｄ変換回路１６からの生体インピーダンスデータが送信される（ステップ１３）。一方、送信アンテナ２１が立っている場合（ステップ１０でＹＥＳ）には、電波送信手段１８が送信可能な状態に制御され（ステップ１２）、Ａ／Ｄ変換回路１６からの生体インピーダンスデータが送信される（ステップ１３）。
【００４１】
ステップ１３の後は、一連の手順が終了して、自動的に電源がオフされる（ステップ１４）。
【００４２】
次に、図６の本発明に係わるコードレス通信生体計測装置の分離部における動作及び測定手順を示すフローチャートを用いて、本体部の動作及び測定手順について説明する。
【００４３】
まず初めに、設定スイッチ３４から身長、年齢、性別、体型等の個人情報を公知の操作によって予め入力し登録した個人別の複数のスイッチ４６ａの中から該当するものを選択し、オンすることにより、分離部３１の各部に電源４５から電力が供給され、動作状態となる（ステップ２１）。
【００４４】
続いて、第２マイコン３７により、赤外線受信手段３８が受信可能な状態に制御される（ステップ２２）。
【００４５】
続いて、第２マイコン３７により、赤外線受信手段３８で本体部１から送信された体重データが受信されたか、あるいは、受信されないかが判定される。この受信の判定には、例えば、赤外線受信手段３８が受信可能であるにもかかわらず、一定時間継続して体重データが受信されたかどうかで判定される。そして、体重データが受信されない場合（ステップ２３でＮＯ）には、赤外線受信手段３８から電波受信手段３９で受信可能な状態に制御され（ステップ２４）、ステップ２３に戻り、電波受信手段３９で本体部１から送信された体重データが受信されたか、あるいは、受信されないかが同様に判定される。ここで、電波受信手段３９で体重データが受信されない場合には、再度ステップ２４において赤外線受信手段３８での受信可能な状態に制御され、同様に繰り返される。
【００４６】
一方、体重データが受信された場合（ステップ２３でＹＥＳ）には、第２マイコン３７により、記憶手段３６に体重データが記憶され、この記憶される体重データに基づいて体重値が求められる（ステップ２５）。
【００４７】
続いて、第２マイコン３７によって求められた体重値が表示手段３３によって表示される（ステップ２６）。
【００４８】
続いて、第２マイコン３７によって、この求められた体重値が安定しているか、あるいは、安定していないかが判定される。この安定の判定は、例えば、過去の一定時間内の体重値の変動がないかどうかで判定される。そして、体重値が安定していない場合（ステップ２７でＮＯ）には、ステップ２３に戻り、再度体重データがサンプリングされ、その後のステップが繰り返し継続される。
【００４９】
なお、その際のステップ２５における体重値の算出にあたって、受信状態が切替わっている場合には、第２マイコン３７の処理継続手段４８によって、それまで記憶手段３６に記憶されている体重データから継続してその後の処理が行われる。
【００５０】
一方、体重値が安定している場合（ステップ２７でＹＥＳ）には、第２マイコン３７により、現在の受信手段での受信状態において、本体部１から送信された生体インピーダンスデータが受信されたか、あるいは、受信されないかが判定される。この受信の判定には、ステップ２３の場合と同様に判定される。
【００５１】
そして、生体インピーダンスデータが受信されない場合（ステップ２８でＮＯ）には、現在の受信手段から他方の受信手段で受信可能な状態に制御され（ステップ２９）、ステップ２８に戻り、同様に繰り返される。
【００５２】
一方、生体インピーダンスデータが受信された場合（ステップ２８でＹＥＳ）には、第２マイコン３７により、記憶手段３６に生体インピーダンスデータが記憶され、この記憶される生体インピーダンスデータと、先に求められた体重値と、電源投入時に選択された個人情報とに基づいて体脂肪率が求められる（ステップ３０）。
【００５３】
続いて、第２マイコン３７によって求められた体脂肪率が表示手段３３によって表示される（ステップ３１）。
【００５４】
ステップ３１の後は、一連の手順が終了して、表示の確認等に必要な時間経過後、自動的に電源がオフされる（ステップ３２）。
【００５５】
なお、ステップ２１において、体重専用スイッチ４６ｂをオンすれば、公知の体重計と同様に体重だけが測定される。
【００５６】
上述したように、本発明の第１の実施の形態のコードレス通信生体計測装置では、赤外線送信手段１７による赤外線の送信もしくは電波送信手段１８による電波の送信のいずれか一方への切替えが切替手段４によってできるので、測定する環境状況に応じた使い分けをすることができる。例えば、電波を強く発生する他の機器や電波の影響を受けたくない医療機器の傍で測定する場合には、赤外線送信状態として電波干渉を防いだり、妊婦等のお腹の太った者の測定や本体部１と分離部３１とを遠くに離して測定する場合には、電波送信状態として媒体の遮断や方向性の欠点を防いだりできる。
【００５７】
また、送信アンテナ２１を立てたり、倒したりすることにより、切替スイッチ２３が連動してオフしたり、オンして、赤外線と電波との媒体の送信状態を切替えるので、切替えのための操作が一動作で済む。
【００５８】
更に、赤外線又は電波のいずれか一方の受信手段によって受信された生体データは、記憶手段３６に記憶され、その後、他方の受信手段に切替わっても処理継続手段４８において、この記憶手段３６に記憶された生体データから継続して処理されるので、使用中の環境状況の変化に応じた使い分けをすることができる。例えば、電波送受信状態で使用中に突然の電波障害を受けた場合に、赤外線送受信状態として、継続して測定ができる。
【００５９】
なお、上述においての第１の実施の形態の説明では、送信アンテナ２１を立てたり、倒したりすることにより、切替スイッチ２３をオフさせたり、オンさせるものであったが、送信アンテナ２１を伸縮させる等のアンテナの構えを変動させることにより、切替スイッチ２３をオン・オフさせるものであれば実施可能である。
【００６０】
また、第１通信手段３を送信手段とし、第２通信手段３２を受信手段とし、本体部１側に切替手段４を備えるものであったが、第１通信手段３及び第２通信手段３２を共に送受信手段とし、切替手段４を分離部３１の方に備えて、送受信される赤外線と電波の媒体を切替えることも実施可能である。
【００６１】
第２に、第１通信手段と第２通信手段との送受信状態が適合するように切替制御部によって制御して自動的に切替える態様である第２の実施の形態について詳述する。
【００６２】
まず、初めに、図７に本発明に係わるコードレス通信生体計測装置の外観を斜視図で示し、図８にその構成をブロック図で示す。なお、第１の実施の形態の構成及び動作と同様な部分については、同符号で図示して詳述を省略する。
【００６３】
本発明の第２の実施の形態のコードレス通信体脂肪計は、大別すると、主として測定を目的とする本体部５１と、主として表示を目的とする分離部８１とにより構成する。
【００６４】
本体部５１は、測定手段２、第１通信手段５３、第１切替手段１０１、第１電源手段５及び第１マイコン５６を備える。
【００６５】
第１通信手段５３は、分離部８１に対してへの測定手段２で測定された生体データの送信に関連するもので、本形態では、体重測定手段７からの体重データと生体インピーダンス測定手段８からの生体インピーダンスデータとを分離部８１に送信するにあたって赤外線を媒体として送受信する赤外線送受信手段１１１と、電波を媒体として送受信する電波送受信手段１２１とから成る。
【００６６】
そして、赤外線送受信手段１１１は、送信窓２６を通して赤外線を発光する発光ダイオード１１２と、この発光ダイオード１１２から発光させることで体重測定手段７からの体重データと生体インピーダンス測定手段８からの生体インピーダンスデータを送信するための赤外線送信回路１１３と、送信窓２６を通して赤外線を受光するフォトトランジスタ１１４と、このフォトトランジスタ１１４を介して返答等の信号を受信するための赤外線受信回路１１５とにより構成する。ちなみに、この赤外線送受信手段１１１による送受信は、搬送波の波長９００〜９５０nm、変調ＰＰＭ、副搬送波の周波数４０kHzで行われる。
【００６７】
一方、電波送受信手段１２１は、電波を発射したり受けたりする送受信アンテナ１２２と、この送受信アンテナ１２２から発射させることで体重測定手段７からの体重データと生体インピーダンス測定手段８からの生体インピーダンスデータを送信するための電波送信回路１２３と、送受信アンテナ１２２を介して返答等の信号を受信するための電波受信回路１２４とにより構成する。ちなみに、この電波送受信手段１２１による送受信は、搬送波の周波数３００MHz、変調ＦＳＫで行われる。
【００６８】
第１切替手段１０１は、赤外線送受信手段１１１で送受信される赤外線と電波送受信手段１２１で送受信される電波との媒体を切替えるものである。そして、第１切替手段１０１は、赤外線送受信手段１１１又は電波送受信手段１２１のいずれか一方に電力供給をするように切替える電力供給切替部１０２と、分離部８１との間で送受信状態が適合するように、この電力供給切替部１０２による電力供給状態の切替えの制御をすると共に、電力供給切替部１０２から電力供給される赤外線送受信手段１１１又は電波送受信手段１２１のいずれか一方が信号の送受信状態となるように切替えの制御する切替制御部１０３とから成る。
【００６９】
第１マイコン５６は、切替制御部１０３を兼ね、上述した切替制御部１０３としての制御をすると共に、第１切替手段１０１によって切替えられた状態に従って、体重測定手段７におけるＡ／Ｄ変換回路１１からの体重データと生体インピーダンス測定手段８におけるＡ／Ｄ変換回路１６からの生体インピーダンスデータとを、第１切替手段１０１によって切替えられた状態から送信するにあたっての制御を行う。
【００７０】
分離部８１は、第２通信手段８２、表示手段３３、設定スイッチ３４、第２電源手段３５、記憶手段３６及び第２マイコン８７を備える。
【００７１】
第２通信手段８２は、本体部５１の第１通信手段５３から送信された生体データの受信に関連するもので、本形態では、本体部５１の赤外線送受信手段１１１からの体重データと生体インピーダンスデータとを受信するにあたって赤外線を媒体として送受信する赤外線送受信手段１３１と、本体部５１の電波送受信手段１２１から体重データと生体インピーダンスデータとを受信するにあたって電波を媒体として送受信する電波送受信手段１４１とから成る。
【００７２】
そして、赤外線送受信手段１３１は、送信窓４９を通して赤外線を発光する発光ダイオード１３２と、この発光ダイオード１３２から発光させることで返答等の信号を送信するための赤外線送信回路１３３と、送信窓４９を通して赤外線を受光するフォトトランジスタ１３４と、このフォトトランジスタ１３４を介して体重データと生体インピーダンスデータを受信するための赤外線受信回路１３５とにより構成する。
【００７３】
一方、電波送受信手段１４１は、電波を発射したり受けたりする送受信アンテナ１４２と、この送受信アンテナ１４２から発射させることで返答等の信号を送信するための電波送信回路１４３と、送受信アンテナ１４２を介して体重データと生体インピーダンスデータを受信するための電波受信回路１４４とにより構成する。
【００７４】
第２切替手段１０６は、赤外線送受信手段１３１で送受信される赤外線と電波送受信手段１４１で送受信される電波との媒体を切替えるものである。そして、第２切替手段１０６は、赤外線送受信手段１３１又は電波送受信手段１４１のいずれか一方に電力供給をするように切替える電力供給切替部１０７と、本体部５１との間で送受信状態が適合するように、この電力供給切替部１０７による電力供給状態の切替えの制御をすると共に、電力供給切替部１０７から電力供給される赤外線送受信手段１３１又は電波送受信手段１４１のいずれか一方が信号の送受信状態となるように切替えの制御する切替制御部１０８とから成る。
【００７５】
第２マイコン８７は、切替制御部１０８を兼ね、上述した切替制御部１０８としての制御をすると共に、本体部５１と送受信したり、その際に受信した生体データ（体重データと生体インピーダンスデータ）に基づいて目的とする生体情報（体重値と体脂肪率）を求め、表示手段３３に出力するための演算・制御等を行う。また、第２切替手段１０６によって他方の送受信状態に切替えた後も記憶手段３６に記憶される生体データから継続して処理する処理継続手段４８を備え、第１の実施の形態と同様に処理を行う。
【００７６】
次に、図９の本発明に係わるコードレス通信生体計測装置の本体部における動作及び測定手順を示すフローチャートを用いて、本体部の動作及び測定手順について説明する。
【００７７】
まず初めに、本体部５１の電源スイッチ２５をオンすることにより（ステップ４１）、本体部５１の各部に電源２４から電力が供給され、第１切替手段１０１によって赤外線送受信手段１１１に切替えられ、赤外線を媒体とする通信（送受信）状態となる（ステップ４２）。なお、第１切替手段１０１による切替えは、切替制御部１０３によって、赤外線送受信手段１１１に電力供給をするように電力供給切替部１０２が制御されると共に、送受信状態となるように赤外線送受信手段１１１が制御されて行われる。
【００７８】
続いて、赤外線送受信手段１１１から分離部８１との間で通信可能な状態にあるかを確認するための通信可否確認信号が送信される（ステップ４３）。そして、通信可否確認信号の送信に対する返答信号の有無が判断される。分離部８１からの返答信号が無い場合（ステップ４４でＮＯ）には、ステップ４３に戻り処理が繰り返される。
【００７９】
一方、分離部８１からの返答信号が有った場合（ステップ４４でＹＥＳ）には、本体部５１は体重測定が可能な動作状態となり、被測定者が本体部５１の上に乗ると重量センサー９により体重データが検出され、この検出された体重データは、増幅回路１０で増幅され、Ａ／Ｄ変換回路１１でデジタル化され（ステップ４５）、赤外線送受信手段１１１から体重データが送信される（ステップ４６）。
【００８０】
続いて、第１マイコン５６によって、この赤外線送受信手段１１１から送信される体重データが安定しているか、あるいは、安定していないかが判定される。この安定の判定には、例えば、過去の一定時間内にサンプリングされた体重データと比較して、一定範囲内の変動で、一定時間継続しているかどうかで判定される。そして、体重データが安定していない場合（ステップ４７でＮＯ）には、ステップ４５に戻り、再度体重データがサンプリングされ、その後のステップが継続される。
【００８１】
一方、体重データが安定している場合（ステップ４７でＹＥＳ）には、サンプリングされた体重最終データが赤外線送受信手段１１１から送信される（ステップ４８）。
【００８２】
そして、体重最終データの送信に対する返答信号の有無が判断される。分離部８１からの返答信号が無い場合（ステップ４９でＮＯ）には、第１切替手段１０１によって電波送受信手段１２１に切替えられ、電波を媒体とする通信（送受信）状態として（ステップ５０）、ステップ４８に戻り処理が繰り返される。なお、第１切替手段１０１による切替えは、切替制御部１０３によって、電波送受信手段１２１に電力供給をするように電力供給切替部が制御されると共に、送受信状態となるように電波送受信手段１２１が制御されて行われる。なお、その後の処理でステップ５０が繰り返される場合には、現在通信している一方の媒体とは異なる他方の媒体での通信状態となるように切替えられる。
【００８３】
一方、分離部８１からの返答信号が返ってきた場合（ステップ４９でＹＥＳ）には、第１切替手段１０１が電波送受信手段１２１の方に切替えられているか（すなわち、現在の通信状態が電波を媒体とする通信状態であるか）が切替制御部１０３によって判定される。
【００８４】
そして、電波送受信手段１２１に切替えられている場合（ステップ５１でＹＥＳ）には、第１切替手段１０１によって赤外線送受信手段１１１に切替えられ（ステップ５２）、赤外線送受信手段１１１から分離部８１との間で通信可能な状態にあるかを確認するための通信可否確認信号が送信される（ステップ５３）。
【００８５】
そして、通信可否確認信号の送信に対する返答信号の有無が判断される。分離部８１から返答信号が返ってこなかった場合（ステップ５４でＮＯ）には、第１切替手段１０１によって電波送受信手段１２１に切替えられ、電波を媒体とする通信状態とする（ステップ５５）。
【００８６】
続いて、ステップ５５の後の場合、分離部８１から返答信号が返ってきた場合（ステップ５４でＹＥＳ）又は電波送受信手段１２１に切替えられていない場合（ステップ５１でＮＯ）には、供給回路１３から発生して通電用電極１２を通じて生体（被測定者）に高周波の微弱な定電流が供給され、測定用電極１４により生体インピーダンスデータが検出され、この検出された生体インピーダンスデータは、増幅回路１５で増幅され、Ａ／Ｄ変換回路１６でデジタル化され（ステップ５６）、第１通信手段５３から送信される（ステップ５７）。
【００８７】
続いて、第１マイコン５６によって、生体インピーダンスデータが安定しているか、あるいは、安定していないかが判定される。この安定の判定には、例えば、過去の一定時間内にサンプリングされた生体インピーダンスデータと比較して、一定範囲内の変動で、一定時間継続しているかどうかで判定される。そして、生体インピーダンスデータが安定していない場合（ステップ５８でＮＯ）には、ステップ５６に戻り、再度生体インピーダンスデータがサンプリングされ、その後の処理が繰り返される。
【００８８】
一方、生体インピーダンスデータが安定している場合（ステップ５８でＹＥＳ）には、この安定している際にサンプリングされた生体インピーダンス最終データが第１通信手段５３から送信される（ステップ５９）。
【００８９】
そして、生体インピーダンス最終データの送信に対する返答信号の有無が判定される。分離部８１から返答信号が返ってこなかった場合（ステップ６０でＮＯ）には、第１切替手段１０１によって第１通信手段５３の通信状態が切替えられ（ステップ６１）、ステップ５９に戻り、再度生体インピーダンス最終データが送信され、処理が繰り返される。なお、その後の処理でステップ６１が繰り返される場合には、現在通信している一方の媒体とは異なる他方の媒体での通信状態となるように切替えられる。
【００９０】
一方、分離部８１からの返答信号が返ってきた場合（ステップ６０でＹＥＳ）には、一連の手順が終了して、自動的に電源がオフされる（ステップ６２）。
【００９１】
次に、図１０の本発明に係わるコードレス通信生体計測装置の分離部における動作及び測定手順を示すフローチャートを用いて、本体部の動作及び測定手順について説明する。
【００９２】
まず初めに、設定スイッチ３４から身長、年齢、性別、体型等の個人情報を公知の操作によって予め入力し登録した個人別の複数のスイッチ４６ａの中から該当するものを選択し、オンすることにより、分離部８１の各部に電源４５から電力が供給され（ステップ７１）、第２切替手段１０６によって赤外線送受信手段１３１に切替えられ、赤外線を媒体とする通信（送受信）状態となる（ステップ７２）。なお、第２切替手段１０６による切替えは、切替制御部１０８によって、赤外線送受信手段１３１に電力供給をするように電力供給切替部１０７が制御されると共に、送受信状態となるように赤外線送受信手段１３１が制御されて行われる。
【００９３】
本体部５１の赤外線送受信手段１１１から送信された通信可否確認信号（ステップ４３によるデータ）の受信状態が判定される。通信可否確認信号が受信されない場合（ステップ７３でＮＯ）には、通信可否確認信号が受信されるまで待ち受ける。
【００９４】
一方、通信可否確認信号が受信された場合（ステップ７３でＹＥＳ）には、本体部５１からの通信可否確認信号に対する返答信号が赤外線送受信手段１３１から送信される（ステップ７４）。
【００９５】
続いて、第２マイコン８７により、赤外線送受信手段１３１で本体部５１から送信された体重データが受信されたか、あるいは、受信されないかが判定される。この受信の判定は、例えば、赤外線送受信手段１３１が受信可能状態の際に、一定時間継続して体重データ（ステップ４６によるデータ）が受信されたかどうかで行われる。
【００９６】
そして、体重データが受信されない場合（ステップ７５でＮＯ）には、第２切替手段１０６によって電波送受信手段１４１に切替えられ（ステップ７６）、ステップ７５に戻り、再度体重データが受信されたかどうかの判定処理が繰り返される。なお、第２切替手段１０６による切替えは、切替制御部１０８によって、電波送受信手段１４１に電力供給をするように電力供給切替部１０７が制御されると共に、送受信状態となるように電波送受信手段１４１が制御されて行われる。なお、その後の処理でステップ７６が繰り返される場合には、現在通信している一方の媒体とは異なる他方の媒体での通信状態となるように切替えられる。
【００９７】
一方、体重データが受信された場合（ステップ７５でＹＥＳ）には、第２マイコン８７により、記憶手段３６に体重データが記憶され、この記憶される体重データに基づいて体重値が求められる（ステップ７７）。
【００９８】
続いて、第２マイコン８７によって求められた体重値が表示手段３３によって表示される（ステップ７８）。
【００９９】
続いて、本体部５１の赤外線送受信手段１１１から送信された体重最終データ（ステップ４８によるデータ）であるかが判定される。そして、体重最終データでない場合（ステップ７９でＮＯ）には、ステップ７５に戻り、再度体重データがサンプリングされ、その後のステップが繰り返される。
【０１００】
一方、体重最終データである場合（ステップ７９でＹＥＳ）には、本体部５１からの体重最終データの送信に対する返答信号が第２通信手段８２から送信される（ステップ８０）。
【０１０１】
続いて、第２切替手段１０６によって赤外線送受信手段１３１に切替えられ（ステップ８１）、本体部５１の赤外線送受信手段１１１から送信された通信可否確認信号（ステップ５３によるデータ）の受信状態が判定される。通信可否確認信号が受信された場合（ステップ８２でＹＥＳ）には、本体部５１からの通信可否確認信号の送信に対する返答信号が赤外線送受信手段１３１から送信される（ステップ８３）。一方、通信可否確認信号が受信されない場合（ステップ８２でＮＯ）には、第２切替手段１０６によって電波送受信手段１４１に切替えられる（ステップ８４）。
【０１０２】
続いて、ステップ８３やステップ８４の後には、本体部５１の第１通信手段５３から送信された生体インピーダンスデータ（ステップ５７によるデータ）が第２通信手段８２によって受信されたか、あるいは、受信されないかが判定される。この受信の判定は、例えば、赤外線送受信手段１３１または電波送受信手段１４１のいずれか一方の受信状態の際に、一定時間継続して生体インピーダンスデータが受信されたかどうかで行われる。
【０１０３】
そして、生体インピーダンスデータが受信されない場合（ステップ８５でＮＯ）には、第２切替手段１０６によって現在通信している一方の媒体とは異なる他方の媒体での通信状態となるように第２通信手段８２が切替えられ（ステップ８６）、ステップ８５に戻り、再度生体インピーダンスデータが受信されたかどうかの判定処理が繰り返される。なお、その後の処理でステップ８６が繰り返される場合には、現在通信している一方の媒体とは異なる他方の媒体での通信状態となるように切替えられる。
【０１０４】
一方、生体インピーダンスデータが受信された場合（ステップ８５でＹＥＳ）には、第２マイコン８７により、記憶手段３６に生体インピーダンスデータが記憶され、この記憶される生体インピーダンスデータと、先に求められた体重値と、電源投入時に選択された個人情報とに基づいて体脂肪率が求められる（ステップ８７）。
【０１０５】
続いて、第２マイコン８７によって求められた体脂肪率が表示手段３３によって表示される（ステップ８８）。
【０１０６】
続いて、本体部５１の第１通信手段５３から送信された生体インピーダンス最終データ（ステップ５９によるデータ）であるかが判定される。そして、生体インピーダンス最終データでない場合（ステップ８９でＮＯ）には、ステップ８５に戻り、再度生体インピーダンスデータがサンプリングされ、その後のステップが繰り返される。
【０１０７】
一方、生体インピーダンス最終データである場合（ステップ８９でＹＥＳ）には、本体部５１からの体重最終データに対する返答信号が第２通信手段８２から送信され（ステップ９０）、一連の手順が終了して、自動的に電源がオフされる（ステップ９１）。
【０１０８】
上述したように、本発明の第２の実施の形態のコードレス通信生体計測装置では、赤外線送受信手段１１１による赤外線の送受信もしくは電波送受信手段１２１による電波の送受信のいずれか一方への切替えが第１切替手段１０１によってでき、かつ、赤外線送受信手段１３１による赤外線の送受信もしくは電波送受信手段１４１による電波の送受信のいずれか一方への切替えが第２切替手段１０６によってできるので、測定する環境状況に応じた使い分けをすることができる。
【０１０９】
また、第１通信手段５３と第２通信手段８２との送受信状態が適合するように、切替制御部１０３によって第１通信手段５３と電力供給切替部１０２とが切替え制御され、かつ、切替制御部１０８によって第２通信手段８２と電力供給切替部１０７とが切替え制御されるので、自動的に赤外線又は電波のいずれか一方を媒体とする送受信状態から他方を媒体とする送受信状態へ切替えることができる。
【０１１０】
更に、一連の処理手順の過程において、ステップ５１乃至ステップ５５及びステップ８１乃至ステップ８４の処理手順に示されるような、一般的に電力消費の高い電波による媒体での送受信状態の際には一般的に電力消費の低い赤外線による媒体での送受信状態への制御のように、赤外線による媒体での送受信が可能な状態である場合には、赤外線による媒体での送受信状態を基調とする制御が切替制御部１０３、１０８によって行われるので、常に最低電力消費の状態を保つことができる。なお、ステップ５１乃至ステップ５５及びステップ８１乃至ステップ８４の処理手順は、一連の処理手順の他のステップ間であっても実施可能である。また、一連の処理手順に複数の箇所に設けても実施可能である。
【０１１１】
更に、赤外線又は電波のいずれか一方の送受信手段１３１、１４１によって受信された生体データは、記憶手段３６に記憶され、その後、他方の受信手段に切替わっても処理継続手段４８において、この記憶手段３６に記憶された生体データから継続して処理されるので、使用中の環境状況の変化に応じた使い分けをすることができる。
【０１１２】
【発明の効果】
以上説明したように、本発明のコードレス通信生体計測装置は、本体部と分離部との間を切替手段により赤外線もしくは電波を媒体とする送受信に切替えることができるため、お互いの媒体による欠点を補い合って、測定する環境状況に応じた使い分けが可能となり、利用範囲が広いものとなる。
【０１１３】
また、電波での送受信に必要なアンテナの構えを変動させることに切替スイッチが連動するので、赤外線又は電波のいずれか一方を媒体とする送受信状態から他方を媒体とする送受信状態への切替えをアンテナの構えを変動させるといった一動作だけで可能となり、切替操作が簡単なものとなる。
【０１１４】
また、切替制御部によって、第１通信手段と第２通信手段との送受信状態が適合するように制御されるので、自動的に赤外線又は電波のいずれか一方を媒体とする送受信状態から他方を媒体とする送受信状態へ切替えることができ、被測定者に手間を強いないものとなる。
【０１１５】
また、切替制御部によって、赤外線による媒体での送受信が可能な状態である場合には、赤外線による媒体での送受信状態を基調とする制御がされるので、常に最低電力消費の状態を保つことができ、電源の寿命をのばし、交換の手間が軽減するものとなる。
【０１１６】
また、赤外線又は電波のいずれか一方の送受信状態から他方の送受信状態に切替手段で切替えた後も記憶手段にその時点の生体データが記憶され、処理継続手段により継続して処理されるので、測定状態が後戻りすることなく使用中の環境状況の変化に応じた使い分けが可能となり、測定時間のロスが防げる。
【図面の簡単な説明】
【図１】本発明（第１の実施の形態）に係わるコードレス通信生体計測装置の外観を示す斜視図である。
【図２】本発明（第１の実施の形態）に係わるコードレス通信生体計測装置の構成を示すブロック図である。
【図３】本体部の第１通信手段付近の拡大図である。
【図４】本体部の第１通信手段付近のＡ−Ａ'断面図である。
【図５】本発明（第１の実施の形態）に係わるコードレス通信生体計測装置の本体部における動作及び測定手順を示すフローチャートである。
【図６】本発明（第１の実施の形態）に係わるコードレス通信生体計測装置の分離部における動作及び測定手順を示すフローチャートである。
【図７】本発明（第２の実施の形態）に係わるコードレス通信生体計測装置の外観を示す斜視図である。
【図８】本発明（第２の実施の形態）に係わるコードレス通信生体計測装置の構成を示すブロック図である。
【図９】本発明（第２の実施の形態）に係わるコードレス通信生体計測装置の本体部における動作及び測定手順を示すフローチャートである。
【図１０】本発明（第２の実施の形態）に係わるコードレス通信生体計測装置の分離部における動作及び測定手順を示すフローチャートである。
【符号の説明】
１、５１  本体部
２  測定手段
３、５３  第１通信手段
４  切替手段
５  第１電源手段
６、５６  第１マイコン
７  体重測定手段
８  生体インピーダンス測定手段
９  重量センサー
１０、１５  増幅回路
１１、１６  Ａ／Ｄ変換回路
１２  通電用電極
１４  測定用電極
１７  赤外線送信手段
１８  電波送信手段
１９、１１２、１３２  発光ダイオード
２０、１１３、１３３  赤外線送信回路
２１  送信アンテナ
２２、１２３、１４３  電波送信回路
２３  切替スイッチ
２４、４５  電源
２５、４６  電源スイッチ
４６ａ  個人別スイッチ
４６ｂ  体重専用スイッチ
２６、４９  送信窓
３１、８１  分離部
３２、８２  第２通信手段
３３  表示手段
３４  設定スイッチ
３５  第２電源手段
３６  記憶手段
３７、８７  第２マイコン
３８  赤外線受信手段
３９  電波受信手段
４０、１１４、１３４  フォトトランジスタ
４１、１１５、１３５  赤外線受信回路
４２  受信アンテナ
４３、１２４、１４４  電波受信回路
４４  ＬＣＤ
４７  ＥＥＰＲＯＭ
４８  処理継続手段
１０１  第１切替手段
１１１、１３１  赤外線送受信手段
１２１、１４１  電波送受信手段
１２２、１４２  送受信アンテナ
１０２、１０７  電力供給切替部
１０３、１０８  切替制御部
１０６  第２切替手段
【図１】
0003970043.tif 000002
【図２】
0003970043.tif 000003
【図３】
0003970043.tif 000004
【図４】
0003970043.tif 000005
【図５】
0003970043.tif 000006
【図６】
0003970043.tif 000007
【図７】
0003970043.tif 000008
【図８】
0003970043.tif 000009
【図９】
0003970043.tif 000010
【図１０】
0003970043.tif 000011